(57)【特許請求の範囲】
【請求項１】
体液の所定成分を測定する測定部と、
少なくとも前記測定部で測定された測定値を示す音声信号をスピーカに出力する音出力制御部と、
前記測定部及び前記音出力制御部に電力を供給する電源と、
前記電源の電圧値を検出する電圧検出部と、
前記スピーカから出力される音量を切り換えるための音量切換スイッチと、
を備え、
前記音出力制御部は、前記音量切換スイッチによって選択された音量と前記電圧検出部が検出した電圧値とに応じて、前記音声信号の電圧レベルを変更するものであって、前記電圧検出部が検出した電圧値が前記電源の初期電圧値から低下するに従って、前記音声信号の電圧レベルを低下させ、
前記音量切換スイッチは、前記スピーカから出力される音声を、囁き音量と前記囁き音量より大きい通常音量とに切り換えることが可能なスイッチであって、
前記音量切換スイッチにより前記囁き音量に切り換えられ、且つ、前記電源の電圧値が前記初期電圧値の場合に、前記音出力制御部が前記スピーカに出力する前記音声信号の電圧レベルは、無響音室において、成分測定装置と騒音計のマイクとの距離が３ｃｍの時に、前記騒音計により計測される騒音レベルが３６ｄＢ〜５３ｄＢの範囲内の音量となる電圧レベルである
ことを特徴とする成分測定装置。
【請求項２】
請求項１に記載の成分測定装置であって、
前記音出力制御部は、前記電圧検出部が検出した電圧値が前記初期電圧値から低下するに従って、前記音声信号の電圧レベルを段階的に低下させる
ことを特徴とする成分測定装置。
【請求項３】
請求項１又は２に記載の成分測定装置であって、
前記音出力制御部は、前記電圧検出部が検出した電圧値が閾値以下の場合は、前記測定部による測定を禁止する
ことを特徴とする成分測定装置。
【請求項４】
請求項１〜３の何れか１項に記載の成分測定装置であって、
前記スピーカは、前記成分測定装置の筐体内部に設けられており、
前記成分測定装置の前記筐体には、前記スピーカからの音声に応じて振動することで前記スピーカからの音声を外部に伝達させる振動領域が設けられ、
前記振動領域及び前記音量切換スイッチは、前記成分測定装置の長手方向に対して略同じ位置に設けられている
ことを特徴とする成分測定装置。
【請求項５】
人体のバイタルサインを測定する測定部と、
少なくとも前記測定部で測定された測定値を示す音声信号をスピーカに出力する音出力制御部と、
前記測定部及び前記音出力制御部に電力を供給する電源と、
前記電源の電圧値を検出する電圧検出部と、
前記スピーカから出力される音量を切り換えるための音量切換スイッチと、
を備え、
前記音出力制御部は、前記音量切換スイッチによって選択された音量と前記電圧検出部が検出した電圧値とに応じて、前記音声信号の電圧レベルを変更するものであって、前記電圧検出部が検出した電圧値が前記電源の初期電圧値から低下するに従って、前記音声信号の電圧レベルを低下させ、
前記音量切換スイッチは、前記スピーカから出力される音声を、囁き音量と前記囁き音量より大きい通常音量とに切り換えることが可能なスイッチであって、
前記音量切換スイッチにより前記囁き音量に切り換えられ、且つ、前記電源の電圧値が前記初期電圧値の場合に、前記音出力制御部が前記スピーカに出力する前記音声信号の電圧レベルは、無響音室において、医療機器と騒音計のマイクとの距離が３ｃｍの時に、前記騒音計により計測される騒音レベルが３６ｄＢ〜５３ｄＢの範囲内の音量となる電圧レベルである
ことを特徴とする医療機器。
【発明の詳細な説明】
【技術分野】
【０００１】
本発明は、体液中の所定成分又はバイタルサインを測定し、測定された測定値をスピーカから出力する成分測定装置及び医療機器に関する。
【背景技術】
【０００２】
糖尿病の治療においては、日々の血糖値を測定することによる日常的な管理が推奨されており、患者自身が血糖計を用いて血糖値を測定している。
【０００３】
しかし、糖尿病患者は、合併症によって弱視になったり失明している場合や、また、合併症でなくても高齢によって視力が低下している場合があり、このような場合は、血糖計のディスプレイに表示される測定値等の情報を読むことは困難である。
【０００４】
下記特許文献１〜３には、音声で情報を報知する機能を搭載することで、測定値等の情報を視覚に頼らずに知ることができる血糖計や血糖計を用いたシステムが記載されている。
【０００５】
また、下記特許文献４には、主電池の電圧が閾値より低くなるとバックアップ電池を用いることが記載されている。
【先行技術文献】
【特許文献】
【０００６】
【特許文献１】特開２００３−５８３５９号公報
【特許文献２】特開２００７−４１９２０号公報
【特許文献３】特許第４３９５１４６号公報
【特許文献４】特表２００９−５４０７８３号公報
【発明の概要】
【発明が解決しようとする課題】
【０００７】
電池を使用する場合、電池の内部抵抗による電圧降下が回路の動作に大きな影響を与えてしまう。例えば、上記特許文献１〜３に記載のように、瞬間的に大電力を必要とするスピーカを用いる場合は、この電圧降下の影響が無視できない。従って、電池の内部抵抗による電圧降下が大きくなった場合に、スピーカに大電力を供給すると、他の回路に供給する電力が少なくなり、他の回路が正常に動作しなくなる虞がある。例えば、測定値を検出したり、測定値を算出したりする回路が正常に動作しないと、間違った測定値が検出又は測定され、正確な情報が得られなくなる。
【０００８】
また、特許文献４には、主電池の電圧が閾値より低くなるとバックアップ電池を用いることが記載されているが、バックアップ電池を内蔵すると、機器が大型化するとともに、高コストになってしまう。
【０００９】
そこで、本発明は、係る従来の問題点に鑑みてなされたものであり、電池の内部抵抗が大きくなった場合であっても、バックアップ電源を用いることなく、回路が正常に動作する電力を可及的に確保することができる成分測定装置及び医療機器を提供することを目的とする。
【課題を解決するための手段】
【００１０】
上記目的を達成するために、請求項１に係る発明は、成分測定装置であって、体液の所定成分を測定する測定部と、少なくとも前記測定部で測定された測定値を示す音声信号をスピーカに出力する音出力制御部と、前記測定部及び前記音出力制御部に電力を供給する電源と、前記電源の電圧値を検出する電圧検出部と、前記スピーカから出力される音量を切り換えるための音量切換スイッチと、を備え、前記音出力制御部は、前記音量切換スイッチによって選択された音量と前記電圧検出部が検出した電圧値とに応じて、前記音声信号の電圧レベルを変更するものであって、前記電圧検出部が検出した電圧値が前記電源の初期電圧値から低下するに従って、前記音声信号の電圧レベルを低下させ、前記音量切換スイッチは、前記スピーカから出力される音声を、囁き音量と前記囁き音量より大きい通常音量とに切り換えることが可能なスイッチであって、前記音量切換スイッチにより前記囁き音量に切り換えられ、且つ、前記電源の電圧値が前記初期電圧値の場合に、前記音出力制御部が前記スピーカに出力する前記音声信号の電圧レベルは、無響音室において、成分測定装置と騒音計のマイクとの距離が３ｃｍの時に、前記騒音計により計測される騒音レベルが３６ｄＢ〜５３ｄＢの範囲内の音量となる電圧レベルであることを特徴とする。
【００１１】
このように、前記電源の電圧値の低下に伴い前記音声信号の電圧レベルを低下させるので、前記電源の内部抵抗による電圧降下が大きくなっても、前記測定部に供給する電力を可及的に確保することができる。これにより、バックアップ電源を用いなくても、誤った測定値が測定されたり、測定値の測定ができないという事態を防ぐことができる。また、患者の要求を考慮した音量で前記スピーカから音声を出力することができる。さらに、周囲の人に測定値を知られたくない場合は、前記音量切換スイッチによって前記スピーカから出力される音声の音量を前記囁き音量に切り換えれば良いので、周囲の人に測定値を示す音声が聞こえることはなく、測定値が周囲の人に漏れることがない。前記囁き音量に切り換えた場合は、前記成分測定装置を耳に当てることで、ユーザは周囲が騒がしい場合であっても十分に測定値を聞き取ることができる。そして、周囲に人がいない場合、若しくは、測定値を周囲の人に知られても構わない場合は、前記音量切換スイッチによって前記スピーカから出力される音声の音量を前記通常音量に切り換えることで、前記成分測定装置を耳に当てるという動作をせずに、測定値を十分に聞き取ることができる。
【００１２】
請求項２に係る発明は、請求項１に記載の成分測定装置であって、前記音出力制御部は、前記電圧検出部が検出した電圧値が前記初期電圧値から低下するに従って、前記音声信号の電圧レベルを段階的に低下させることを特徴とする。
【００１３】
このように、前記電源の電圧値の低下に伴って前記音声信号の電圧レベルを段階的に低下させていくので、前記音声信号の電圧レベルを安定した状態で下げることができる。例えば、前記電源の電圧値に応じてリニアに電圧レベルを変えてしまうと、温度変化等の環境変化等によって前記電源の電圧値が変わるため、電圧レベルも大きく変動する虞があるが、段階的に低下させていくので電圧レベルを安定した状態で下げることができる。
【００１４】
請求項３に係る発明は、請求項１又は２に記載の成分測定装置であって、前記音出力制御部は、前記電圧検出部が検出した電圧値が閾値以下の場合は、前記測定部による測定を禁止することを特徴とする。
【００１５】
このように、前記電源の電圧値が閾値以下の場合は測定を禁止するので、無駄に測定を行うことがない。
【００２０】
請求項４に係る発明は、請求項１〜３の何れか１項に記載の成分測定装置であって、前記スピーカは、前記成分測定装置の筐体内部に設けられており、前記成分測定装置の前記筐体には、前記スピーカからの音声に応じて振動することで前記スピーカからの音声を外部に伝達させる振動領域が設けられ、前記振動領域及び前記音量切換スイッチは、前記成分測定装置の長手方向に対して略同じ位置に設けられていることを特徴とする。
【００２１】
これにより、親指が前記音量切換スイッチに当たるように前記成分測定装置を把持し、親指が耳元に来るように前記成分測定装置を持ってくれば、自然に前記振動領域が右耳に当たるので、簡単に、音が十分に良く聞こえる前記振動領域を耳に当てることが可能となる。
【００２２】
上記目的を達成するために、請求項５に係る発明は、医療機器であって、人体のバイタルサインを測定する測定部と、少なくとも前記測定部で測定された測定値を示す音声信号をスピーカに出力する音出力制御部と、前記測定部及び前記音出力制御部に電力を供給する電源と、前記電源の電圧値を検出する電圧検出部と、前記スピーカから出力される音量を切り換えるための音量切換スイッチと、を備え、前記音出力制御部は、前記音量切換スイッチによって選択された音量と前記電圧検出部が検出した電圧値とに応じて、前記音声信号の電圧レベルを変更するものであって、前記電圧検出部が検出した電圧値が前記電源の初期電圧値から低下するに従って、前記音声信号の電圧レベルを低下させ、前記音量切換スイッチは、前記スピーカから出力される音声を、囁き音量と前記囁き音量より大きい通常音量とに切り換えることが可能なスイッチであって、前記音量切換スイッチにより前記囁き音量に切り換えられ、且つ、前記電源の電圧値が前記初期電圧値の場合に、前記音出力制御部が前記スピーカに出力する前記音声信号の電圧レベルは、無響音室において、医療機器と騒音計のマイクとの距離が３ｃｍの時に、前記騒音計により計測される騒音レベルが３６ｄＢ〜５３ｄＢの範囲内の音量となる電圧レベルであることを特徴とする。
【００２３】
このように、前記電源の電圧値の低下に伴い前記音声信号の電圧レベルを低下させるので、前記電源の内部抵抗による電圧降下が大きくなっても、前記測定部に供給する電力を可及的に確保することができる。これにより、バックアップ電源を用いなくても、誤った測定値が測定されたり、測定値の測定ができないという事態を防ぐことができる。また、患者の要求を考慮した音量で前記スピーカから音声を出力することができる。さらに、周囲の人に測定値を知られたくない場合は、前記音量切換スイッチによって前記スピーカから出力される音声の音量を前記囁き音量に切り換えれば良いので、周囲の人に測定値を示す音声が聞こえることはなく、測定値が周囲の人に漏れることがない。前記囁き音量に切り換えた場合は、前記医療機器を耳に当てることで、ユーザは周囲が騒がしい場合であっても十分に測定値を聞き取ることができる。そして、周囲に人がいない場合、若しくは、測定値を周囲の人に知られても構わない場合は、前記音量切換スイッチによって前記スピーカから出力される音声の音量を前記通常音量に切り換えることで、前記医療機器を耳に当てるという動作をせずに、測定値を十分に聞き取ることができる。
【発明の効果】
【００２４】
本発明によれば、電源の電圧値の低下に伴い音声信号の電圧レベルを低下させるので、電源の内部抵抗による電圧降下が大きくなっても、測定部に供給する電力を可及的に確保することができる。これにより、バックアップ電源を用いなくても、誤った測定値が測定されたり、測定値の測定ができないという事態を防ぐことができる。また、患者の要求を考慮した音量でスピーカから音声を出力することができる。さらに、周囲の人に測定値を知られたくない場合は、音量切換スイッチによってスピーカから出力される音声の音量を囁き音量に切り換えれば良いので、周囲の人に測定値を示す音声が聞こえることはなく、測定値が周囲の人に漏れることがない。囁き音量に切り換えた場合は、成分測定装置又は医療機器を耳に当てることで、ユーザは周囲が騒がしい場合であっても十分に測定値を聞き取ることができる。そして、周囲に人がいない場合、若しくは、測定値を周囲の人に知られても構わない場合は、音量切換スイッチによってスピーカから出力される音声の音量を通常音量に切り換えることで、成分測定装置又は医療機器を耳に当てるという動作をせずに、測定値を十分に聞き取ることができる。
【図面の簡単な説明】
【００２５】
【図１】成分測定装置の一例である血糖計の斜視図である。
【図２】図１に示す血糖計の平面図である。
【図３】図１の血糖計の基端側から見た側面図である。
【図４】図１に示すチップの断面図である。
【図５】図１に示す音量切換スイッチを示す図である。
【図６】図１に示す血糖計の電気的な構成を示すブロック図である。
【図７】図６に示す制御部のブロック構成図である。
【図８】図６に示す記憶部のブロック構成図である。
【図９】図８の補正係数テーブルを示す図である。
【図１０】電源の電圧値と内部抵抗との関係を示すグラフである。
【図１１】電源の電圧値が初期電圧値の場合における、音量大、音量小、囁き音量の騒音レベルの計測方法を示す図である。
【図１２】図１に示す血糖計の測定動作を示すフローチャートである。
【図１３】アナログ信号の音声データの生成処理の動作を示すフローチャートである。
【発明を実施するための形態】
【００２６】
本発明に係る成分測定装置及び医療機器について、好適な実施の形態を掲げ、添付の図面を参照しながら以下、詳細に説明する。
【００２７】
図１は、成分測定装置及び医療機器の一例である血糖計１０の斜視図、図２は、図１に示す血糖計１０の平面図、図３は、図１の血糖計１０の基端側から見た側面図である。
【００２８】
血糖計１０には、先端に試験具としてのチップ１２が装着される。血糖計１０には、患者自身が操作して血糖計側を行うパーソナルユースの用途として主に用いられるが、医療施設内で医療従事者等が患者に対して使用してもよい。先ず初めに、チップ１２について説明する。本実施の形態では、血糖計１０を使用する患者、医療従事者等を総称してユーザと呼ぶ場合がある。
【００２９】
図４は、チップ１２の断面図である。チップ１２は、有底円筒状のベース筒１４と、ベース筒１４の底部付近から半径方向に突出するフランジ１６と、ベース筒１４の底部から突出する錘状のノズル１８と、ベース筒１４の底部内面に設置された試験紙２０とを有する。ベース筒１４には、複数のスリット１４ａが設けられている。ノズル１８の中心には、先端の点着部２２から試験紙２０に連通する直線状の血液導入路２４が設けられている。血液導入路２４は、血液を毛細現象により吸い上げる程度に十分細径に設定されており、点着部２２に接触した血液を試験紙２０まで導入する。
【００３０】
試験紙２０の材質としては、例えば、ポリエーテルスルホンが挙げられる。試験紙２０に含浸させる試薬としては、例えば、グルコースオキシダーゼ（ＧＯＤ）、ペルオキシダーゼ（ＰＯＤ）、４−アミノアンチピリン、Ｎ−エチルＮ−（２−ヒドロキシ−３−スルホプロピル）等の発色剤が挙げられる。また、試薬には、所定の緩衝剤が含まれていてもよい。
【００３１】
チップ１２は、いわゆるディスポーザブル品であり、個包装体としてケース２６（図１参照）内に緩く嵌合されて、収納されている。血糖測定を行う際には、ケース２６の基端側に貼られたフィルム（不図示）を剥した上で、ケース２６ごとチップ装着部２８（図１参照）に被せることにより、嵌合力の差によって自動的に且つ手で触れることなく該チップ１２をチップ装着部２８に装着させることができる。血糖測定後には、イジェクタ３０を先端側に押し出すことにより内部のレバーがチップ１２に係合して押し出し、チップ１２を取り外すことができる。
【００３２】
図１〜図３に戻り、血糖計１０は、チップ１２が装着されるチップ装着部２８と、チップ装着部２８の近傍で且つ、血糖計１０の筐体１０ａ上面に設けられたイジェクタ３０と、筐体１０ａ上面の略中央に設けられた液晶のディスプレイ３６と、筐体１０ａ上面の基端側に設けられた操作部３８と、筐体１０ａ側面の基端部近傍に設けられた複数段階に音量を切り換えることができる音量切換スイッチ４０と、筐体１０ａ側面の基端部（図３参照）に設けられた時間設定ボタン４４と、紐で接続されてチップ装着部２８を保護するキャップ４６とを有する。血糖計１０は、片手で把持し易いやや細長い形状であり、先端部は先端方向に向かって細くなるとともにやや下側に屈曲しており、血液の点着が行い易い形状になっている。
【００３３】
血糖計１０の上面部は、平面状に形成されており、ディスプレイ３６の視認性と操作部３８の操作性が良い。ディスプレイ３６は、計測した血糖値や、所定の入力操作確認等の情報を表示する。
【００３４】
操作部３８は、電源８２より電力が供給された制御部８０（図６参照）をオン・オフする電源ボタン５０と、過去に記憶された測定値を読み出す記憶呼出ボタン５２と、直近の音声報知内容を再度報知させる再生ボタン５４とを有する。この時間設定ボタン４４、電源ボタン５０、記憶呼出ボタン５２、及び再生ボタン５４の表面に、異なるパターンの小突起を設けてもよく、これにより指先の感触でこれらのボタンが識別可能である。電源８２には、例えば、直列に接続された２個のアルカリ電池（１．５Ｖ）が用いられる。
【００３５】
筐体１０ａの上面には、振動領域５６が設けられており、この振動領域５６の裏側に（筐体１０ａの内部）に、スピーカ５８（図６、図７参照）が内蔵されている。振動領域５６は、スピーカ５８から出力された音に応じて振動することで、スピーカ５８から出力された音を、効率よく血糖計１０の外部に伝達することができる。振動領域５６は、電源ボタン５０及び記憶呼出ボタン５２と、再生ボタン５４との間に設けられている。
【００３６】
図５に示すように、音量切換スイッチ４０は、スピーカ５８から出力される音の音量を４段に切り換えることができるスイッチであり、血糖計１０の先端側が手首側となり、且つ、血糖計１０の裏面（ディスプレイ３６が設けられた面と反対側の面）を覆うように右手で把持したときに親指で操作し易い位置に設けられている（図１、図２参照）。音量切換スイッチ４０は、４段に直線方向に移動（スライド）できるスイッチであり、左（血糖計１０の先端側）から順に、「囁き音量」、「消音」、「音量小」、「音量大」をそれぞれ選択することができる。指操作による音量切換スイッチ４０のスライド操作を容易にするため、音量切換スイッチ４０には、指と係合する複数本の縦突起が設けられている。
【００３７】
音量切換スイッチ４０には、三角突起ポインタ４０ａが設けられている。三角突起ポインタ４０ａの下には、各段における音量切換スイッチ４０の三角突起ポインタ４０ａに位置に対応して、突起部６０、６２、６４、６６が形成されている。突起部６０は「囁き音量」の位置を、突起部６２は「消音」の位置を、突起部６４は「音量小」の位置を、突起部６６は「音量大」の位置をそれぞれ示す。また、三角突起ポインタ４０ａの下であって、突起部６０、６２、６４、６６の下には、左から順に、「囁き音量」に対応した「ハート」のマーク、「消音」に対応した「０」の数字、「音量小」及び「音量大」に対応した「楔」と「台形」のマークがそれぞれ表示されている。
【００３８】
三角突起ポインタ４０ａが突起部６０とスライド方向で一致する位置（第１の段）まで音量切換スイッチ４０をスライドさせると、スピーカ５８から出力される音の音量は囁き音量となる。三角突起ポインタ４０ａが突起部６２とスライド方向で一致する位置（第２の段）まで音量切換スイッチ４０をスライドさせると、スピーカ５８から出力される音の音量は零（０）となり、スピーカ５８から音が出力されない。囁き音量とは、血糖計１０に耳を近づけないと（血糖計１０と耳との距離が少なくとも１５ｃｍ以上離れると）、スピーカ５８からの音が聞き取れない程度の音量である。
【００３９】
三角突起ポインタ４０ａが突起部６４とスライド方向で一致する位置（第３の段）まで音量切換スイッチ４０をスライドさせると、スピーカ５８から出力される音の音量は音量小（通常音量、第１音量）となり、三角突起ポインタ４０ａが突起部６６とスライド方向で一致する位置（第４の段）まで音量切換スイッチ４０をスライドさせると、スピーカ５８から出力される音の音量は音量大（通常音量、第２音量）となる。通常音量（音量小及び音量大）とは、血糖計１０に耳を近づけなくても（例えば、血糖計１０と耳との距離が少なくとも１５ｃｍ以上離れている場合であっても）、スピーカ５８からの音が聞き取れる程度の音量であり、音量大は、音量小より音量が大きい。
【００４０】
このように、血糖計１０のユーザは、音量切換スイッチ４０を一番左である第１の段（血糖計１０の先端側）に移動することで、スピーカ５８から出力される音量を囁き音量に切り換える（選択する）ことができ、囁き音量への切り換えが容易になる。逆に、囁き音量の位置を、端にせずに、左から２番目の位置（第２の段）又は３番目の位置（第３の段）にすると、つまり、中間の位置にすると、中間の位置に音量切換スイッチ４０を合わすために微妙な操作が必要となり、手先が不自由になり易い糖尿病患者にとっては、囁き音量に切り換えることが難しくなる。
【００４１】
また、消音の位置（第２の段）を、囁き音量の右隣とするので、音量切換スイッチ４０を操作して消音に切り換えることは、一端に位置する囁き音量に切り換えるより難しくなる。しかし、音量切換スイッチ４０を音量小又は音量大の位置からスライドさせて消音に切り換えるとき、仮に音量切換スイッチ４０を消音の位置で止めることができず、行き過ぎて囁き音量の位置になったとしても、囁き音量は、血糖計１０に耳を近づけなければ音が聞こえないので、そのまま消音の代用として使用でき、問題は生じない。従って、上記のような音量切り換えの配置により、ユーザの使い勝手を向上させることができる。
【００４２】
また、ユーザは、音量切換スイッチ４０を一番右である第４の段（血糖計１０の基端側）に移動することで、スピーカ５８から出力される音量を最も大きくする（音量大にする）ことができるので、一番大きい音量への切り換えが容易になる。逆に、音量大の位置を、端にせずに、右から２番目の位置（突起部６２の位置）又は３番目の位置（突起部６４の位置）にすると、つまり、中間の位置にすると、中間の位置に音量切換スイッチ４０を合わすために微妙な操作が必要となり、手先が不自由になり易い糖尿病患者にとっては、音量大に切り換えることが難しくなる。
【００４３】
また、音量小の位置（第３の段）を、消音の位置（第２の段）と音量大の位置（第４の段）との間にするので、音量切換スイッチ４０を操作して音量小に切り換えることは、音量大に切り換えるより難しくはなるが、音量小への切り換えが上手く操作できない場合は、音量大に切り換えれば良い。音が聞こえないよりは音が確実に聞こえた方が良いので、より優先順位の高い音量大を一番右に位置し、音量大より優先順位の低い音量小を一番右から２番目にする。また、消音の位置を基準に右に行くほど音量が大きくなるので、ユーザの直感的な音量調整が可能となる。また、消音の位置を基準に、囁き音量の位置を左側、音量小及び音量大の位置を右側にすることで、ユーザは、囁き音量と、通常の音量調整（音量小及び音量大）との切り換えを直感的且つ容易に行うことができる。
【００４４】
図６は、血糖計１０の電気的な構成を示すブロック図である。血糖計１０は、ディスプレイ３６、音量切換スイッチ４０、時間設定ボタン４４、電源ボタン５０、記憶呼出ボタン５２、再生ボタン５４、及びスピーカ５８に加え、更に、血糖計１０の全体を統括的に制御する制御部８０、電源８２、時計８４、記憶部８６、測定部８８、及び電圧検出部９０を備える。
【００４５】
電源８２から制御部８０に電力が供給され、電源ボタン５０の作用下に制御部８０は起動し、電源８２からの電力を必要に応じてディスプレイ３６、時計８４、記憶部８６、測定部８８、電圧検出部９０等に供給する。時計８４は、時間設定ボタン４４の操作によって調整され、現在時刻を制御部８０に通知する。時計８４には、カレンダー機能が設けられてもよい。
【００４６】
測定部８８は、光学式で血糖値を測定するものであって、試験紙２０（図４参照）にパルス状の光を照射する発光部８８ａと、呈色した試験紙２０が反射した光を受光する受光部８８ｂと、該受光部８８ｂの受光信号をデジタル値に変換して制御部８０に出力するＡＤ変換器８８ｃとを有する。なお、本実施の形態では、光学式で血糖値を求めるようにしたが、アンペロメトリー等を利用した電極式で血糖値を求めてもよい。電圧検出部９０は、電源８２の電圧値Ｖｂを検出する。
【００４７】
制御部８０は、血糖計１０全体を制御するものであり、測定部８８から送られてきた信号に基づいて血糖値を算出し、算出した血糖値をディスプレイ３６に表示させたり、スピーカ５８から算出した血糖値を示す音声を出力させたりする。
【００４８】
図７に示すように、制御部８０は、電圧レベル出力部１００、測定制御部１０２、血糖値算出部１０４、表示制御部１０６、及び、音出力制御部１０８を有する。
【００４９】
電圧レベル出力部１００は、音量切換スイッチ４０によって選択された音量に応じた電圧レベルＬを音出力制御部１０８に出力する。電圧レベル出力部１００は、音量切換スイッチ４０によって「囁き音量」が選択された場合は電圧レベルＬ１を音出力制御部１０８に出力し、「音量小」が選択された場合は電圧レベルＬ２を音出力制御部１０８に出力し、「音量大」が選択された場合は電圧レベルＬ３を出力する。電圧レベルＬ１、Ｌ２、Ｌ３は、Ｌ１＜Ｌ２＜Ｌ３の関係を有し、電圧レベルＬが高いほどスピーカ５８から出力される音の音量は大きくなる。なお、電圧レベル出力部１００は、音量切換スイッチ４０によって「消音」が選択されている場合は、０（零）の電圧レベルＬを出力する。つまり、「消音」の場合は、音出力制御部１０８に出力される電圧レベルＬは０となる。
【００５０】
測定制御部１０２は、測定部８８を制御するものであり、発光部８８ａの発光制御、受光部８８ｂの受光制御等を行う。血糖値算出部１０４は、測定部８８（詳しくは、ＡＤ変換器８８ｃ）から供給される受光信号（測定結果）に基づいて血糖値を算出する。
【００５１】
表示制御部１０６は、ディスプレイ３６を制御して、血糖値算出部１０４が算出した血糖値を示す３桁の数字をディスプレイ３６に表示させる。例えば、算出した血糖値が１２３ｍｇ／ｄＬの場合は、図２に示すように、左から順に（血糖計１０の先端側から順に）、「１」、「２」、「３」の３桁の数字をディスプレイ３６に表示させる。ディスプレイ３６は、血糖値算出部１０４が算出した血糖値の他に、例えば、「電池を交換してください。」、「測定中です。」等の文章や、該文章の内容を示すアイコン等の表示が可能であってもよい。
【００５２】
音出力制御部１０８は、記憶部８６に記憶されている音声データを用いて、血糖値算出部１０４が算出した血糖値を示す音声データを再生させて、スピーカ５８から血糖値を示す音声を出力する。詳しくは、音声データメモリ８６ｃに記憶されているデジタル信号の音声データを、アナログ信号の音声データ（音声信号）に変換し、該アナログ信号の音声データをスピーカ５８に出力する。
【００５３】
例えば、算出した血糖値が１２３ｍｇ／ｄＬの場合は、音出力制御部１０８は、「けっとうちは」、「ひゃく」、「にじゅう」、「さん」、「です」のデジタル信号の音声データをアナログ信号に変換し、該アナログ信号の音声データをスピーカ５８に出力する。これにより、スピーカ５８からは「血糖値は１２３です」の音声が出力される。なお、音出力制御部１０８は、音声データ以外の音データ（例えば、効果音の音データ）を再生させて、スピーカ５８から測定開始時や終了時、エラー報知時に注意喚起する音を出力してもよい。
【００５４】
音出力制御部１０８は、音声データをデジタル信号からアナログ信号に変換する際に、音量切換スイッチ４０によって選択された音量及び電圧検出部９０が検出した電源８２の電圧値Ｖｂに応じて、スピーカ５８に出力するアナログ信号の音声データの電圧レベルを変える。詳しくは、音出力制御部１０８は、電圧レベル出力部１００が出力した電圧レベルＬ（音量切換スイッチ４０の操作によって選択された音量に応じた電圧レベルＬ）に、電源８２の電圧値Ｖｂに応じた補正係数ｋを乗算することで、電圧レベルＬを補正し、スピーカ５８に出力するアナログ信号の音声データの電圧レベルが補正後の電圧レベルＬとなるように、アナログ信号を生成する。便宜上、スピーカ５８に出力される音声データの電圧レベル（補正後の音声データの電圧レベル）をＬ´と呼ぶ。なお、音出力制御部１０８は、音量切換スイッチ４０によって消音が選択されている場合は、音声データをスピーカ５８に出力しない。
【００５５】
記憶部８６は、図８に示すように、プログラムメモリ８６ａ、ワークメモリ８６ｂ、音声データメモリ８６ｃ、設定値メモリ８６ｄ、及び、補正係数テーブル８６ｅを有する。プログラムメモリ８６ａには、制御部８０が読み込み実行するためのプログラムが記憶されている。ワークメモリ８６ｂには、プログラムを実行する際に所定のデータを記憶するために用いられる。
【００５６】
音声データメモリ８６ｃには、血糖計１０の操作の際にアナウンスさせる音声の音声データが記憶されており、例えば、「電源が入りました。」、「電池を交換してください。」、「測定中です。」、「時間を設定します。」等の音声データが記憶されている。また、音声データメモリ８６ｃには、音声以外の音、例えば、警告音（例えば、ブザー音）、効果音等の音データも記憶されている。設定値メモリ８６ｄは、制御部８０のオフ時に所定のデータを記憶・保存しておくためのメモリである。例えば、過去に測定された血糖値が記憶される。補正係数テーブル８６ｅには、電源８２の電圧値Ｖｂに応じた補正係数ｋが記憶されている。
【００５７】
図９は、補正係数テーブル８６ｅを示す図である。補正係数テーブル８６ｅには、電源８２の電圧値Ｖｂに応じて電圧レベルを補正する補正係数ｋが格納されている。なお、本実施の形態では、直列に接続された２個のアルカリ電池（１．５Ｖ）を電源８２とするので、電源８２の初期電圧値は、３．０Ｖとなる。初期電圧値とは、未だ放電がされていない、若しくは、殆ど放電されていないときの電源８２の電圧値Ｖｂである。
【００５８】
電源８２の電圧値Ｖｂが２．５Ｖより大きく、３．０Ｖ以下の場合は、補正係数ｋは１.０となる。電源８２の電圧値Ｖｂが２．４Ｖより大きく、２．５Ｖ以下の場合は、補正係数ｋは０．７となる。電源８２の電圧値Ｖｂが２．２Ｖより大きく２．４Ｖ以下の場合は、補正係数ｋは０．４５となる。電源８２の電圧値Ｖｂが２．０Ｖより大きく、２．２Ｖ以下の場合は、補正係数は０．３となる。
【００５９】
従って、音量切換スイッチ４０によって「囁き」が選択されている場合であって、電源８２の電圧値Ｖｂが２．８Ｖの場合はスピーカ５８に出力される音声データの電圧レベルＬ´は「Ｌ１×１．０」となり、電源８２の電圧値Ｖｂが２．３Ｖの場合はスピーカ５８に出力される音声データの電圧レベルＬ´は「Ｌ１×０．４５」となる。音量切換スイッチ４０によって「音量小」が選択されている場合であって、電源８２の電圧値Ｖｂが２．４５Ｖの場合はスピーカ５８に出力される音声データの電圧レベルＬ´は「Ｌ２×０．７」となる。また、音量切換スイッチ４０によって「音量大」が選択されている場合であって、電源８２の電圧値Ｖｂが２．１Ｖの場合はスピーカ５８に出力される音声データの電圧レベルＬ´は「Ｌ３×０．３」となる。
【００６０】
なお、電源８２の電圧値Ｖｂが２．２Ｖ（閾値）以下になると、血糖値の測定が禁止され、電源８２の電圧値が２．０Ｖ（所定値）以下になると、起動しなくなる。つまり、制御部８０は強制的にオフとなる。
【００６１】
ここで、電源８２の電圧値Ｖｂに応じて音声出力信号の電圧レベルを変える理由について説明する。図１０に示すように、電池の内部抵抗は、放電とともに（電池の電圧の低下とともに）増加する傾向にあることが知られている。電源８２の内部抵抗が大きくなっている（電圧値Ｖｂが下がっている）にもかかわらず、電源８２の電圧値Ｖｂが初期電圧値の時と同様の電圧レベルで音声データをスピーカ５８に出力すると、スピーカ５８以外の回路、例えば、制御部８０や測定部８８等を構成する回路に供給できる電力が少なくなってしまい、制御部８０や測定部８８等が正常に動作しなくなる可能性がある。制御部８０が正常に動作しなくなると、誤った血糖値が算出されたり、血糖値の算出を行うことができなくなる場合もある。従って、電源８２の電圧値Ｖｂの低下に応じてスピーカ５８に出力する音声データの電圧レベルを低下させることで、スピーカ５８以外の回路に供給する電力を確保する。なお、音声による測定値等の認識が困難になっても、ディスプレイ３６にはそれらが通常通り表示されるので、視認することができる。
【００６２】
次に、電圧レベルＬ１、Ｌ２、Ｌ３の大きさについて説明する。音量の測定は、無響音室において、図１１に示すように、血糖計１０の振動領域５６がある側に騒音計１２０のマイク１２２を配置して行う。このとき、血糖計１０の振動領域５６とマイク１２２との間には、障害物はないものとし、血糖計１０の電源８２である電池の電圧値Ｖｂは、初期電圧値とする。また、この騒音計１２０として、ソーテック（旧電子測器）社製の騒音計（型番ＴＹＰＥ１０１５）を用いた。なお、騒音計１２０のウエイトスイッチを「Ａ」にし（Ａ特性に設定し）、動特性切換スイッチを「Ｓ」にした（動特性をＳｌｏｗに設定した）。このＡ特性は、ＩＥＣ  ６１６７２、ＪＩＳ  Ｃ１５０９、の騒音計１２０の規格で定められている。
【００６３】
音量切換スイッチ４０によって「大」（音量大）が選択されたときに、スピーカ５８に出力される音声データの電圧レベルＬ´（このときは、Ｌ´＝Ｌ３×１．０＝Ｌ３）は、血糖計１０の振動領域５６とマイク１２２との距離Ｌを５０ｃｍにしたときに、騒音計１２０により計測される騒音レベルが６０ｄＢ±５ｄＢの範囲内の音量となる電圧レベルである。従って、音量大は、ユーザが血糖計１０に耳を近づけなくても、十分にスピーカ５８からの音が聞こえる音量であり、耳が遠い患者であっても十分に聞こえるものである。
【００６４】
また、音量切換スイッチ４０によって「音量小」が選択されたときにスピーカ５８に出力される音声データの電圧レベルＬ´（このときは、Ｌ´＝Ｌ２×１．０＝Ｌ２）は、血糖計１０と騒音計１２０のマイク１２２との距離Ｌを５０ｃｍにしたときに、騒音計１２０により計測される騒音レベルが５５ｄｂ±５ｄＢの範囲内の音量となる電圧レベルである。従って、音量小は、ユーザが血糖計１０に耳を近づけなくても、十分にスピーカ５８からの音が聞こえる音量である。
【００６５】
また、音量切換スイッチ４０によって「音量囁き」が選択されたときにスピーカ５８に出力される音声データの電圧レベルＬ´（このときは、Ｌ´＝Ｌ１×１．０＝Ｌ１）は、血糖計１０と騒音計１２０のマイク１２２との距離Ｌを３ｃｍにしたときに、騒音計１２０により計測される騒音レベルが３６ｄＢ〜５３ｄＢの範囲内の音量となる電圧レベルである。従って、囁き音量は、ユーザが血糖計１０に耳を近づけないと、スピーカ５８からの音が聞こえない音量であり、血糖計１０に耳を当てることで（血糖計１０の振動領域５６に耳を当てることで）、十分にスピーカ５８からの音が聞こえる音量である。また、周囲が騒がしい場合（周囲の雑音が煩い場合）であっても、血糖計１０が耳を塞ぐ状態となるので、患者はスピーカ５８からの音が十分に聞こえる。
【００６６】
なお、上述した騒音計１２０によって測定された音量大、音量小、囁き音量の騒音レベルは、無響音室、すなわち、余計な周囲の雑音がない環境下で測定した騒音レベルである。また、騒音計１２０の無音時のノイズレベルは３４ｄＢであった。
【００６７】
ここで、振動領域５６と音量切換スイッチ４０とが設けられる位置は、図１に示すように、筐体１０ａの上面と側面において、血糖計１０の長手方向に対して略同じ位置に設けられている。つまり、親指が音量切換スイッチ４０に当たるように血糖計１０を右手で把持した後、振動領域５６を右耳に当てたときに、右手の親指が耳元に来るように、振動領域５６及び音量切換スイッチ４０が設けられている。これにより、親指が耳元に来るように血糖計１０を右耳まで持ってくれば、自然に振動領域５６が右耳に当たるので、簡単に振動領域５６を右耳に当てることができる。
【００６８】
次に、このように構成される血糖計１０の動作について説明する。図１２は、血糖計１０の測定動作を示すフローチャートであり、図１３は、アナログ信号の音声データの生成処理を示すフローチャートである。
【００６９】
まず、図１２のフローチャートに従って血糖値の測定動作を説明する。電源８２から制御部８０に電力が供給され、ユーザが電源ボタン５０を押すことにより、制御部８０が起動する。そして、音出力制御部１０８は、電圧検出部９０が検出した電源８２の電圧値Ｖｂを取得する（ステップＳ１）。
【００７０】
次いで、音出力制御部１０８は、取得した電圧値Ｖｂが閾値（本実施の形態では、２．２Ｖ）以下であるか否かを判断する（ステップＳ２）。ステップＳ２で、電圧値Ｖｂが閾値以下であると判断すると、音出力制御部１０８は、電圧値Ｖｂが所定値（本実施の形態では、２．０Ｖ）以下であるか否かを判断する（ステップ３）。
【００７１】
ステップＳ３で、電圧値Ｖｂが所定値以下でないと判断すると、音出力制御部１０８は、スピーカ５８から「電池を交換して下さい。」という警告音声を出力する（ステップＳ４）。つまり、電源８２の電圧値Ｖｂが２．０より大きく、２．２Ｖ以下の場合は、血糖値の測定が禁止され、警告音声が出力される。また、音出力制御部１０８は、スピーカ５８から警告音を出力するようにしてもよい。なお、アナログ信号の音声データの生成（デジタル信号の音声データのアナログ信号への変換）について後で詳しく説明する。
【００７２】
また、ステップＳ４において、表示制御部１０６は、「電池を交換して下さい。」という文章や、電池交換を促すアイコンをディスプレイ３６に表示させてもよい。
【００７３】
一方、ステップＳ３で、電圧値Ｖｂが所定値以下であると判断すると、制御部８０は、強制的にオフとなる（ステップＳ５）。
【００７４】
ステップＳ２で、電圧値Ｖｂが閾値以下でないと判断すると、音出力制御部１０８は、スピーカ５８から「電源が入りました。」という音声を出力する（ステップＳ６）。このとき、表示制御部１０６は、「電源が入りました。」という文章や、電源８２が入った旨を示すアイコンをディスプレイ３６に表示してもよい。また、音出力制御部１０８は、注意を喚起する効果音をスピーカ５８から出力してもよい。
【００７５】
次いで、音出力制御部１０８は、スピーカ５８から「チップを装着して下さい。」という音声を出力する（ステップＳ７）。この音声のアナウンスに基づいて、ユーザは、キャップ４６を外し、ケース２６の基端側に貼られたフィルムを剥して、チップ１２をチップ装着部２８に装着する。このとき、表示制御部１０６は、「チップを装着して下さい」という文章や、チップ１２の装着を促すアイコンをディスプレイ３６に表示してもよい。また、音出力制御部１０８は、効果音をスピーカ５８から出力するようにしてもよい。
【００７６】
次いで、血糖値算出部１０４は、チップ１２が装着されたか否かを判断する（ステップＳ８）。この判断は、受光部８８ｂが受光した光の光量に基づいて判断する。つまり、ステップＳ８では、血糖値算出部１０４は、受光部８８ｂからＡＤ変換器８８ｃを経て送られてきた受光信号に基づいてチップ１２の装着を判断する。チップ１２が装着されている場合は、発光部８８ａが発光した光は試験紙２０で反射して受光部８８ｂに入射するので、受光部８８ｂが受光する光量は大きくなる。従って、受光部８８ｂが受光した光量が一定値以上の場合は、チップ１２が装着されたと判断する。
【００７７】
ステップＳ８で、チップ１２が装着されていないと判断すると、装着されるまでステップＳ８に留まる。このとき、一定時間以上、チップ１２が装着されない場合は、音出力制御部１０８は、警告音若しくは警告音声をスピーカ５８から出力するようにしてもよいし、表示制御部１０６は、警告表示を行ってもよい。
【００７８】
ステップＳ８で、チップ１２が装着されたと判断すると、音出力制御部１０８は、スピーカ５８から「チップが装着されました。チップに血液を点着して下さい。」という音声を出力する（ステップＳ９）。この音声アナウンスに基づいて、ユーザは、チップ１２の点着部２２（図４参照）に血液を点着させる。このとき、表示制御部１０６は、「チップに血液を点着して下さい。」という文章や、血液の点着を促すアイコンをディスプレイ３６に表示してもよい。また、音出力制御部１０８は、効果音をスピーカ５８から出力するようにしてもよい。
【００７９】
血液がチップ１２に点着されると、血液中のグルコースと試験紙２０に含浸された試薬との反応により呈色が開始される。測定制御部１０２は、測定部８８を制御することで、試験紙２０からの反射光を受光部８８ｂで受光して受光信号を得、該得られた受光信号をＡＤ変換器８８ｃがデジタル値に変換する。
【００８０】
次いで、血糖値算出部１０４は、チップ１２が装着されたと判断してから一定時間経過後に、測定部８８から送られてきた受光信号に基づいて血糖値を算出する（ステップＳ１０）。音出力制御部１０８は、血糖値の測定の間（血糖値を算出するまでの間）、スピーカ５８から「計測中です。」という音声を出力する。なお、このとき、表示制御部１０６は、測定終了までの残り時間（秒数）をカウントダウン式に表示する。なお、「計測中です。」という文章や、測定中である旨を示すアイコンをディスプレイ３６に表示してもよい。
【００８１】
次いで、音出力制御部１０８は、スピーカ５８から血糖値算出部１０４が算出した血糖値を示す音声を出力する（ステップＳ１１）。このとき、表示制御部１０６は、測定された血糖値の数字をディスプレイ３６に表示する。また、音出力制御部１０８は、効果音を出力するようにしてもよい。
【００８２】
次に、図１３のフローチャートに従ってアナログ信号の音声データの生成処理の動作を説明する。音出力制御部１０８は、電圧検出部９０が検出した電源８２の電圧値Ｖｂを取得する（ステップＳ２１）。
【００８３】
次いで、音出力制御部１０８は、取得した電圧値Ｖｂに応じた補正係数ｋを補正係数テーブル８６ｅから取得する（ステップＳ２２）。例えば、取得した電圧値Ｖｂが２．４Ｖの場合は、取得する補正係数ｋは、「０．４５」となる。
【００８４】
次いで、音出力制御部１０８は、音量切換スイッチ４０によって選択された音量の電圧レベルＬ、つまり、電圧レベル出力部１００から出力された電圧レベルＬに、ステップＳ２２で取得した補正係数ｋを乗算する（ステップＳ２３）。ここで、電圧レベル出力部１００は、音量切換スイッチ４０によって「囁き音量」が選択されている場合は電圧レベルＬ１を音出力制御部１０８に出力し、「音量小」が選択されている場合は電圧レベルＬ２を出力し、「音量大」が選択されている場合は電圧レベルＬ３を出力する。
【００８５】
次いで、音出力制御部１０８は、音声データメモリ８６ｃからデジタル信号の音声データを取得する（ステップＳ２４）。音声データメモリ８６ｃから取得するデジタル信号の音声データは、これからスピーカ５８から出力しようとする音声の音声データである。例えば、図１２のステップＳ４の場合は、「電池を交換して下さい。」という音声データを取得し、ステップＳ６の場合は、「電源が入りました。」という音声データを取得し、ステップＳ１１の場合は、算出した血糖値を示す音声データを取得する。なお、必要に応じて、警告音、効果音等の音データも取得してもよい。
【００８６】
次いで、音出力制御部１０８は、補正係数ｋが乗算された電圧レベルＬ、つまり、電圧レベルＬ´でアナログ信号の音声データを生成する（ステップＳ２５）。つまり、ステップＳ２４で取得したデジタル信号の音声データから、ステップＳ２３で求めた電圧レベルＬ´のアナログ信号を生成する。例えば、電圧レベル出力部１００から電圧レベルＬ２が出力され、補正係数ｋが０.４５の場合は、生成されるアナログ信号の音声データの電圧レベルＬ´は「電圧レベルＬ２×０．４５」となる。この電圧レベルＬ´が大きいほどスピーカ５８から出力される音量は大きくなる。ステップＳ２４で、効果音等のデジタル信号の音データを取得した場合も、電圧レベルＬ´のアナログ信号の音データを生成する。
【００８７】
なお、音量切換スイッチ４０によって「消音」が選択されている場合は、音声をスピーカ５８から出力しないので、アナログ信号の音データや音声データを生成しなくてもよい。また、警告音、効果音、及び警告音声等は、ユーザに注意を喚起するものなので、音量切換スイッチ４０によって「消音」が選択されている場合であっても、スピーカ５８から警告音、効果音、及び警告音声等を出力すべく、警告音、効果音、及び警告音声等のアナログ信号の音データを生成するようにしてもよい。この場合、予め決められた電圧レベルでアナログ信号の音声データを生成してもよい。
【００８８】
次いで、音出力制御部１０８は、該生成したアナログ信号の音声データをスピーカ５８に出力する（ステップＳ２６）。これにより、スピーカ５８から所望の音声を出力することができるとともに、音量切換スイッチ４０によって選択された音量及び電源８２の電圧値Ｖｂに応じた音量で音声を出力することができる。ステップＳ２５で効果音等のアナログ信号の音データを生成した場合は、該生成したアナログ信号の音データをスピーカ５８に出力する。音量切換スイッチ４０によって「消音」が選択されている場合は、音出力制御部１０８は、アナログ信号の音データや音声データをスピーカ５８に出力しない。
【００８９】
なお、音量切換スイッチ４０によって「消音」が選択されている場合であっても警告音、効果音、警告音声等のアナログ信号の音声データをスピーカ５８に出力してもよい。
【００９０】
このように、周囲の人に測定値を知られたくない場合は、音量切換スイッチ４０によってスピーカ５８から出力される音声の音量を囁き音量に切り換えれば良いので、周囲の人に測定値を示す音声が聞こえることなく、周囲の人に該測定値が漏れることはない。
【００９１】
また、囁き音量に切り換えた場合は、血糖計１０に耳を当てることで、患者等は、周囲が騒がしい場合であっても十分に測定値を聞き取ることができる。また、周囲に人がいない場合は、若しくは、測定値を周囲の人に知られても構わない場合は、音量切換スイッチ４０によってスピーカ５８から出力される音声の音量を音量小又は音量大に切り換えることで、血糖計１０に耳を当てるという動作をせずに、測定値を十分に聞き取ることができる。
【００９２】
また、音量切換スイッチ４０によってスピーカ５８から出力される音声の音量を、音量小から音量大に切り換えることで、周囲が騒がしい場合や耳の遠い患者であっても、血糖計１０を耳に当てるという動作をせずに、測定値を十分に聞き取ることができる。
【００９３】
また、電源８２の電圧値Ｖｂの低下に伴いアナログ信号の音声データの電圧レベルＬ´を下げるので、スピーカ５８に供給する電力を抑えることができ、電源８２の電圧降下が大きくなった場合であっても、スピーカ５８以外の回路に供給する電力を可及的に確保することができる。これにより、バックアップ電源を用いなくても、誤った血糖値が算出されたり、血糖値の算出を行うことができないという事態を防ぐことができ、使い捨てのチップ１２を無駄にすることもない。つまり、チップ１２は使い捨てであるため、誤った血糖値が算出された場合等は、使用したチップ１２が無駄になってしまう。
【００９４】
また、電源８２の電圧値Ｖｂの低下に伴いアナログ信号の音声データの電圧レベルＬ´を段階的に低下させていくので、スピーカ５８に出力するアナログ信号の音声データの電圧レベルＬ´を安定した状態で下げることができる。例えば、電源８２の電圧値Ｖｂに応じてリニアに電圧レベルＬ´を変えてしまうと、温度変化等の環境変化等によって電源８２の電圧値Ｖｂが変わるため、電圧レベルＬ´が変動する虞があるが、本実施の形態では、段階的に低下させていくので電圧レベルを安定した状態で下げることができる。
【００９５】
電源８２の電圧値Ｖｂが閾値以下の場合は、測定を禁止するので、無駄に測定することがなく、チップ１２も無駄にすることはない。
【００９６】
振動領域５６及び音量切換スイッチ４０は、血糖計１０の長手方向に対して略同じ位置に設けられているので、親指が音量切換スイッチ４０に当たるように血糖計１０を把持し、親指が耳元にくるように血糖計１０を持ってくれば、自然に振動領域５６が耳に当たるので、簡単に、音が十分に良く聞こえる振動領域５６を耳に当てることが可能となる。
【００９７】
上記実施の形態は、以下のように変形してもよい。
【００９８】
（変形例１）上記実施の形態では、体液中の血糖を測定する血糖計１０を用いて説明したが、血糖以外の体液中の所定成分を測定するものであってもよい。この場合、測定部８８は、血糖以外の体液中の所定成分を測定する機能を有する。また、体液成分以外のバイタルサインを測定する医療機器にも適用可能である。この場合、測定部８８は、バイタルサインを測定する機能を有する。バイタルサインとしては、体温、血圧、心拍数、呼吸数、酸素飽和度、心電、血流量、皮膚水分量、活動量等も含む。また、ここでいう成分測定装置及び医療機器とは、所謂パーソナルユース品に限らず、例えば、患者のために医療従事者が扱う機器若しくは装置を含むことは勿論である。
【００９９】
（変形例２）上記実施の形態では、音量切換スイッチ４０のスライド位置として、囁き音量の位置（第１の段）を一番左、消音の位置（第２の段）を左から２番目、音量大の位置（第４の段）を一番右、音量小の位置（第３の段）を右から２番目にしたが、囁き音量の位置を一番右、消音の位置を右から２番目、音量大の位置を一番左、音量小の位置を左から２番目にしてもよい。つまり、音量切換スイッチ４０のスライド可能範囲の一端を囁き音量の位置とし、消音の位置を囁き音量の位置の隣にすればよい。
【０１００】
（変形例３）上記実施の形態では、通常音量は、音量小と音量大との２段階に調整できるようにしたが、通常音量は、３以上の段階に調整できるようにしてもよく、音量の調整をできないようにしてもよい。３以上の段階に音量が調整できる場合であっても、消音の位置に近いほど音量は小さくなり、消音の位置より遠いほど音量は大きくなる。勿論、消音の位置を基準に、通常音量の位置は、囁き音量の位置の反対側に設けられている。
【０１０１】
（変形例４）上記実施の形態では、電源８２の電圧値Ｖｂが低下するにつれて補正係数を段階的に下げることで、アナログ信号の音声データの電圧レベルを段階的に下げるようにしたが、電源８２の電圧値Ｖｂの低下に応じてアナログ信号の音声データの電圧レベルを連続的に下げるようにしてもよい。
【０１０２】
（変形例５）上記変形例１〜４を任意に組み合わせた態様であってもよい。
【０１０３】
以上、本発明について好適な実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【０１０４】
１０…血糖計                        １０ａ…筐体
１２…チップ                        ２０…試験紙
２２…点着部                        ２４…血液導入路
２６…ケース                        ２８…チップ装着部
３６…ディスプレイ                  ３８…操作部
４０…音量切換スイッチ              ５６…振動領域
５８…スピーカ                      ８０…制御部
８２…電源                          ８４…時計
８６…記憶部                        ８８…測定部
９０…電圧検出部                    １００…電圧レベル出力部
１０２…測定制御部                  １０４…血糖値算出部
１０６…表示制御部                  １０８…音出力制御部
１２０…騒音計                      １２２…マイク
【図１】
0005896801.tif 000002
【図２】
0005896801.tif 000003
【図３】
0005896801.tif 000004
【図４】
0005896801.tif 000005
【図５】
0005896801.tif 000006
【図６】
0005896801.tif 000007
【図７】
0005896801.tif 000008
【図８】
0005896801.tif 000009
【図９】
0005896801.tif 000010
【図１０】
0005896801.tif 000011
【図１１】
0005896801.tif 000012
【図１２】
0005896801.tif 000013
【図１３】
0005896801.tif 000014